(57)【要約】【課題】この発明の目的は、刃物を精度良く、また、効率良く研摩することができ、作業効率を向上することにある。【解決手段】この発明は、刃物を固定板との間に挟んで固定具により固定する固定台と前記刃物に摺接される砥石とを相対的に移動させて前記刃物を研摩する刃物研磨装置において、前記固定台と固定板との間に挟まれて前記固定具により固定される固定台側治具とこの固定台側治具に取り付けられて前記刃物を固定台側治具との間に挟んで固定する刃物側治具とからなる固定用治具を設け、前記固定台側治具及び刃物側治具の少なくとも一方と前記刃物との間に前記固定用治具に対する前記刃物の固定位置を決定する位置決め機構を設けたことを特徴とする。【選択図】図１
2005279867.tif 000002
【特許請求の範囲】
【請求項１】
刃物を固定板との間に挟んで固定具により固定する固定台と前記刃物に摺接される砥石とを相対的に移動させて前記刃物を研摩する刃物研磨装置において、前記固定台と固定板との間に挟まれて前記固定具により固定される固定台側治具とこの固定台側治具に取り付けられて前記刃物を固定台側治具との間に挟んで固定する刃物側治具とからなる固定用治具を設け、前記固定台側治具及び刃物側治具の少なくとも一方と前記刃物との間に前記固定用治具に対する前記刃物の固定位置を決定する位置決め機構を設けたことを特徴とする刃物研摩装置の刃物固定構造。
【請求項２】
前記位置決め機構は、前記刃物側治具に長手方向に延びる係合突条を設けるとともに、前記刃物に前記係合突条と係合する係合溝条を設けたことを特徴とする請求項１に記載の刃物研摩装置の刃物固定構造。
【請求項３】
前記位置決め機構は、前記固定台側治具に長手方向に延びる係合突条を設けるとともに、前記刃物に前記係合突条と係合する係合溝条を設けたことを特徴とする請求項１に記載の刃物研摩装置の刃物固定構造。
【発明の詳細な説明】
【技術分野】
【０００１】
この発明は刃物研摩装置の刃物固定構造に係り、特に、刃物を精度良く、また、効率良く研摩することができ、作業効率を向上することができる刃物研摩装置の刃物固定構造に関する。
【背景技術】
【０００２】
木材等の被加工部材の表面を平滑に仕上げる切削装置には、回転する刃物を備えているものがある。切削装置は、回転体の外周に刃物を取り付け、回転される刃物に対して被加工部材を移動させ、刃物により被加工部材の表面を切削して平滑にする。刃物は、使用により摩耗するため、刃物研摩装置によって研摩している。
【０００３】
刃物研摩装置には、刃物を固定板との間に挟んで固定具により固定する固定台を設け、刃物に摺接される砥石を設けている。刃物研磨装置は、刃物を固定した固定台と砥石とを相対的に移動させて、砥石により刃物を研摩する。
【０００４】
従来の刃物研摩装置の刃物固定構造には、固定台と重ねた固定板及び押さえ板との間に刃物を挿入し、固定板及び押さえ板に挿通した押さえボルトを固定台に螺着して締め付けることにより、刃物を固定するものがある。
【特許文献１】特開平７−２８５０５４号公報
【発明の開示】
【発明が解決しようとする課題】
【０００５】
ところで、従来の刃物研摩装置の刃物固定構造においては、刃物を固定台に載せて固定板により挟み、固定ボルトを固定台に螺着して締め付けることにより、刃物を固定している。
【０００６】
ところが、従来の刃物研摩装置の刃物固定構造においては、固定台と固定板との間に板状の刃物を挟んで固定しているため、固定台に対して正確に位置調整して固定することが困難な問題があり、また、刃物の位置調整に手間がかかるため、作業効率が低下する問題があった。
【０００７】
このため、従来の刃物研摩装置の刃物固定構造においては、刃物を精度良く、また、効率良く研摩することができない不都合があった。
【課題を解決するための手段】
【０００８】
この発明は、刃物を固定板との間に挟んで固定具により固定する固定台と前記刃物に摺接される砥石とを相対的に移動させて前記刃物を研摩する刃物研磨装置において、前記固定台と固定板との間に挟まれて前記固定具により固定される固定台側治具とこの固定台側治具に取り付けられて前記刃物を固定台側治具との間に挟んで固定する刃物側治具とからなる固定用治具を設け、前記固定台側治具及び刃物側治具の少なくとも一方と前記刃物との間に前記固定用治具に対する前記刃物の固定位置を決定する位置決め機構を設けたことを特徴とする。
【発明の効果】
【０００９】
この発明の刃物研摩装置の刃物固定構造は、固定台側治具と刃物側治具とからなる固定用治具を設け、この固定用治具の固定台側治具及び刃物側治具の少なくとも一方と刃物との間に固定用治具に対する刃物の固定位置を決定する位置決め機構を設けたことにより、この位置決め機構によって刃物を固定台に対して簡単な作業により正確に位置決めして固定することができ、刃物を精度良く、また、効率良く研摩することができ、作業効率を向上することができる。
【発明を実施するための最良の形態】
【００１０】
この発明の刃物研摩装置の刃物固定構造は、刃物を固定台に固定する固定用治具に位置決め機構を設けることによって、刃物を固定台に精度良く且つ短時間で固定することができ、刃物を精度良く、また、効率良く研摩することができるものである。
以下図面に基づいて、この発明の実施例を説明する。
【実施例】
【００１１】
図１〜図９は、この発明の実施例を示すものである。図４・図５において、２は刃物である。刃物２は、断面略台形状の長四角板形状に形成された刃体４を設け、刃体４の幅方向両側に切削用の刃先６を設けている。この刃物２は、図示しない切削装置に取り付けられて回転され、木材等の被加工部材の表面を切削して平滑に仕上げる加工に使用される。
【００１２】
前記刃物２を研摩する刃物研摩装置８は、図２・図３に示す如く、ベッド１０上にテーブル１２とフレーム１４とを設けている。
【００１３】
前記テーブル１２には、両端に立設した支柱１６に回動軸１８により固定台２０を回動可能に軸支して設け、固定台２０の角度を調整する角度調整機構２２を設け、固定台２０をテーブル１２に対して固定する固定機構２４を設けている。角度調整機構２２は、調整ハンドル２６を備えている。固定機構２４は、固定ハンドル２８を備えている。
【００１４】
前記固定台２０には、図１に示す如く、幅方向一側に支持部３０を立設し、支持部３０に隣接して固定具を構成する固定ボルト３２を植設し、固定ボルト３２に固定具を構成する固定ナット３４を螺着して設けている。固定台２０に固定ボルト３２及び固定ナット３４により固定される固定板３６には、固定ボルト３２を挿通する挿通孔３８を形成して設けている。
【００１５】
また、固定台２０には、支持部３０に形成したねじ孔４０に調整ボルト４２を螺合している。調整ボルト４２は、押し部材４４を介して刃物２の固定位置を調整する。
【００１６】
前記フレーム１４には、刃物２に摺接されて研摩する砥石として、荒砥石４６及び仕上げ砥石４８を設けている。荒砥石４６及び仕上げ砥石４８は、夫々荒砥石用モータ５０及び仕上げ砥石用モータ５２により回転され、図示しない荒砥石用昇降機構及び仕上げ砥石用昇降機構により夫々刃物２に対して接離されるように昇降される。
【００１７】
刃物研磨装置８は、固定台２０に刃物２を固定板３６との間に挟んで固定ボルト３２及び固定ナット３４により固定し、調整ボルト４２により押し部材４４を介して刃物２を押進して固定位置を調整し、ベッド１０上においてテーブル１２とフレーム１４とを相対的に移動させて、例えば、刃物２を固定したテーブル１２に対して荒砥石４６及び仕上げ砥石４８を備えたフレーム１４を移動させて、荒砥石４６及び仕上げ砥石４８により刃物２の刃先６を研摩する。
【００１８】
この刃物研磨装置８の刃物固定構造は、刃物２を固定台２０に固定する固定用治具５４を設けている。固定用治具５４は、固定台２０と固定板３６との間に挟まれて固定ボルト３２及び固定ナット３４により固定される固定台側治具５６と、この固定台側治具５６に取り付けられて刃物２を固定台側治具５６との間に挟んで固定する刃物側治具５８とからなる。
【００１９】
前記固定台側治具５６は、図６・図７に示す如く、刃物２の長手方向に長い長四角板形状に形成され、固定台２０と固定板３６とに挟持される挟持部６０を設け、この挟持部６０に段差部６２を介して連続して刃物２及び刃物側治具５８を支持する支持部６４を設け、この支持部６４にねじ孔６６を形成して設けている。
【００２０】
前記刃物側治具５８は、図８・図９に示す如く、固定台側治具５６の長手方向に沿うように四角板形状に形成され、固定台側治具５６の支持部６４に当接される当接部６８を設け、この当接部６８に段差部７０を介して連続して刃物２を押圧する押圧部７２を設け、当接部６８に前記ねじ孔６６に合致する挿通孔７４を設けている。刃物側治具５６は、固定台側治具５６の支持部６４に当接させて、挿通孔７４に挿通した取付ボルト７６を固定台側治具５６のねじ孔６６に螺着することにより、固定台側治具５６に取り付けられる。  
【００２１】
固定台側治具５６及び刃物側治具５８の少なくとも一方と刃物２との間には、固定用治具５４に対する刃物２の固定位置を決定する位置決め機構７８を設けている。
【００２２】
第１実施例の位置決め機構７８は、図８・図９に示す如く、刃物側治具５８の押圧部７２の下面７２ａに長手方向に延びる係合突条８０を設けるとともに、図４・図５に示す如く、刃物２の刃体４の上面４ｂに係合突条８０と係合する係合溝条８２を設けている。
【００２３】
次に作用を説明する。
【００２４】
刃物研摩装置８は、固定台２０に刃物２を固定する場合に、図１に示す如く、固定台側治具５６の支持部６４に刃物側治具５８の当接部６８を当接させ、刃物側治具５８の挿通孔７４に挿通した取付ボルト７６を固定台側治具５６のねじ孔６６に螺着することにより、固定台側治具５６に刃物側治具５８を取り付けて固定用治具５４を仮組する。
【００２５】
仮組した固定用治具５４は、固定ボルト３２に螺着した固定ナット３４をゆるめ、固定台２０に固定台側治具５６を当接させて、一端側を支持部３０に当接させた固定板３６の他端側との間に固定台側治具５６の挟持部６０を挟み、調整ボルト４２により押し部材４４を介して固定台側治具５６を押進し、刃物２の刃先６の突出量が一定になるように調整して固定ナット３４を締め付けることにより、固定台側治具５６を固定台２０に固定ボルト３２及び固定ナット３４により固定する。
【００２６】
調整ボルト４２により位置を調整されて固定台２０に固定台側治具５６を固定した固定用治具５４は、取付ボルト７６をゆるめて固定台側治具５６と刃物側治具５８との間をあけ、刃物側治具５８の押圧部７２の下面７２ａに設けた位置決め機構７８の係合突条８０に刃物２の刃体４の上面４８ｂに設けた位置決め機構７８の係合溝条８２を係合させながら、固定台側治具５６の支持部６４と刃物側治具５８の押圧部７２との間に刃物２を挿入し、取付ボルト７６を締め付ける。
【００２７】
これにより、刃物２は、固定台２０に固定された固定用治具５４の刃物側治具５８と刃物２との間に設けた位置決め機構７８によって、固定用治具５４に対する刃物２の固定位置を決定され、固定用治具５４に取り付けられる。
【００２８】
刃物研摩装置８は、図２・図３に示す如く、刃物２を固定用治具５４を介して固定した固定台２０の角度、即ち刃物２の刃先４の角度を角度調整機構２２の調整ハンドル２６の操作により調整してから、固定台２０をテーブル１２に対して固定機構２４の固定ハンドル２８の操作により固定した後に、回転する荒砥石４６及び仕上げ砥石４８を順次に摺接させて研摩する。研摩の完了した刃物２は、取付ボルト７６をゆるめて固定用治具５４から外し、図示しない切削装置に取り付けることにより、木材等の被加工部材の切削に使用することができる。
【００２９】
このように、この刃物研摩装置８の刃物固定構造は、固定台側治具５６と刃物側治具５８とからなる固定用治具５４を設け、この固定用治具５４の刃物側治具５８と刃物２との間に固定用治具５４に対する刃物２の固定位置を決定する位置決め機構７８を設けている。
【００３０】
このため、この刃物研摩装置８の刃物固定構造は、位置決め機構７８によって刃物２を固定台２０に対して簡単な作業により正確に位置決めして固定することができ、刃物２を精度良く、また、効率良く研摩することができ、作業効率を向上することができる。
【００３１】
なお、この発明は、上述実施例に限定されることなく、種々応用改変が可能である。
【００３２】
例えば、上述実施例においては、固定用治具５４の刃物側治具５８と刃物２との間に位置決め機構７８を設けたが、固定用治具５４の固定台側治具５６と刃物２との間に位置決め機構７８を設けることもできる。
【００３３】
即ち、刃物研摩装置８の刃物固定構造は、図１０に示す如く、位置決め機構７８として、固定台側治具５６の支持部６４の上面６４ｂに長手方向に延びる係合突条８０を設けるとともに、刃物２の刃体４の下面４ａに係合突条８０と係合する係合溝条８２を設けることにより、刃物２を固定台２０に対して簡単な作業により正確に位置決めして固定することができ、刃物２を精度良く、また、効率良く研摩することができるものである。
【産業上の利用可能性】
【００３４】
この発明の刃物研摩装置の刃物固定構造は、固定用治具の固定台側治具及び刃物側治具の少なくとも一方と刃物との間には固定用治具に対する刃物の固定位置を決定する位置決め機構を設けたことにより、刃物を固定台に対して簡単な作業により正確に位置決めして固定することができ、刃物を精度良く、また、効率良く研摩することができるものであり、各種の産業機械の部品を固定に適用することができる。
【図面の簡単な説明】
【００３５】
【図１】実施例を示す刃物研磨装置の刃物固定構造の要部拡大断面図である。
【図２】刃物研摩装置の概略正面図である。
【図３】図２のＩＩＩ−ＩＩＩ線による刃物研摩装置の概略断面図である。
【図４】刃物の一部省略平面図である。
【図５】図４の矢印Ｖによる刃物の側面図である。
【図６】固定台側治具の一部省略平面図である。
【図７】図６の矢印ＶＩＩによる固定台側治具の側面図である。
【図８】刃物側治具の一部省略平面図である。
【図９】図８の矢印ＩＸによる刃物側治具の側面図である。
【図１０】応用例を示す刃物研磨装置の刃物固定構造の要部拡大断面図である。
【符号の説明】
【００３６】
２  刃物
４  刃体
６  刃先
８  刃物研摩装置
１０  ベッド
１２  テーブル
１４  フレーム
１８  回動軸
２０  固定台
２２  角度調整機構
２４  固定機構
３０  支持部
３２  固定ボルト
３４  固定ナット
３６  固定板
４２  調整ボルト
４４  押し部材
４６  荒砥石
４８  仕上げ砥石
５４  固定用治具
５６  固定台側治具
５８  刃物側治具
７６  取付ボルト
７８  位置決め機構
８０  係合突条
８２  係合溝条
【図１】
2005279867.tif 000003
【図２】
2005279867.tif 000004
【図３】
2005279867.tif 000005
【図４】
2005279867.tif 000006
【図５】
2005279867.tif 000007
【図６】
2005279867.tif 000008
【図７】
2005279867.tif 000009
【図８】
2005279867.tif 000010
【図９】
2005279867.tif 000011
【図１０】
2005279867.tif 000012
【手続補正書】
【提出日】平成16年4月2日(2004.4.2)
【手続補正１】
【補正対象書類名】図面
【補正対象項目名】全図
【補正方法】変更
【補正の内容】
【図１】
2005279867.tif 000013
【図２】
2005279867.tif 000014
【図３】
2005279867.tif 000015
【図４】
2005279867.tif 000016
【図５】
2005279867.tif 000017
【図６】
2005279867.tif 000018
【図７】
2005279867.tif 000019
【図８】
2005279867.tif 000020
【図９】
2005279867.tif 000021
【図１０】
2005279867.tif 000022